(57)【特許請求の範囲】
【請求項１】
浴室内から空気を吸い込む吸込口と、
前記浴室内に空気を吹き出す吹出口と、
前記吸込口から空気を吸引し、吸引した空気を前記吹出口から吹き出させるための循環ファンと、
前記吹出口から吹き出す空気を加熱する加熱手段と、
所定の回転軸を中心に回動することにより、前記吹出口からの空気の吹き出し方向を定める風向調整板と、
予め定められた複数の停止位置に前記風向調整板を所定時間ずつ停止させ、それぞれ異なる方向へ所定時間ずつ空気を吹き出させるように前記風向調整板の位置を制御する制御手段と、
前記風向調整板の停止位置の変更入力を受け付ける操作部と、を備え、
前記制御手段は、前記操作部が一つの入力を受け付けると、前記一つの入力に応じて、それぞれの停止位置を同一方向へ変更することを特徴とする浴室暖房乾燥機。
【請求項２】
浴室内から空気を吸い込む吸込口と、
前記浴室内に空気を吹き出す吹出口と、
前記吸込口から空気を吸引し、吸引した空気を前記吹出口から吹き出させるための循環ファンと、
前記吹出口から吹き出す空気を加熱する加熱手段と、
所定の回転軸を中心に回動することにより、前記吹出口からの空気の吹き出し方向を定める風向調整板と、
予め定められた複数の停止位置に前記風向調整板を所定時間ずつ停止させ、それぞれ異なる方向へ所定時間ずつ空気を吹き出させるように前記風向調整板の位置を制御する制御手段と、
前記風向調整板の停止位置の変更入力を受け付ける操作部と、を備え、
前記制御手段は、前記風向調整板の複数の停止位置のうち、前記浴室の洗い場方向へ空気が吹き出す停止位置を、前記操作部が受け付けた入力に応じて変更することを特徴とする浴室暖房乾燥機。
【発明の詳細な説明】
【０００１】
【発明の属する技術分野】
本発明は、水廻り空間の換気、暖房、乾燥等を行う浴室暖房乾燥機に関するものである。
【０００２】
【従来の技術】
従来、この種の浴室暖房乾燥機の吹き出し口には、循環ファンにより浴室内へ送風する際に風の吹き出す方向を決める風向調整板はついていたが、固定で変更できないものか手動により調整するものであった。
【発明が解決しようとする課題】
【０００３】
しかしながら、上記に示す浴室暖房乾燥機は、以下のような課題を有していた。風の吹き出す方向が固定の風向調整板を使用しているものにおいては、乾燥運転時と暖房運転時が同じ方向であるため衣類の乾燥を短時間で効率よく行えるように風の向きを設定すると衣類がかけられる浴槽真上付近に一番風があたるように風向きを調整すればよいがその状態では暖房運転時に洗い場側に風が届かないため浴室内の温度が上がらないという問題があった。また、暖房運転を効率よくおこなうために風の向きを洗い場側に向けると乾燥運転時に衣類の端の方に風が当たらずに乾燥むらがおきるなどの問題があった。さらには、手動で調整できるものにおいては、乾燥運転と暖房運転時にあらかじめ風の向きを調整すれば上記問題点はある程度改善されるもののどうしても固定方向であるがゆえに限界があった。さらには、天井の高いところに浴室乾燥機自体が設置されているために踏み台等がないと手が届かず非常に手間のかかる作業であった。
【０００４】
よって、本発明は従来の課題を解決するためのものであり、風向調整板を使用者が簡単に調整することができるとともに、各運転モードにおいて最適な状態で風向調整板を制御するようにすることで快適な暖房運転及び衣類乾燥むらのない乾燥運転を行うことができる浴室暖房乾燥機を提供することにある。
【０００５】
【課題を解決するための手段及び作用・効果】
上記目的を達成するために本発明は、浴室内から空気を導入し再び室内に戻す循環ファンと、循環ファンにより浴室内から導入した空気を暖める過熱手段と、前記空気の吹き出し口に風向調整板と、衣類を乾燥するための運転モードである乾燥モード、浴室内を暖めるための運転モードである暖房モード、浴室内に風を送風させるための運転モードである送風モードと、前記風向調整板の方向を切り替えるための切替手段と、前記運転モードを切り替えるための操作手段とを備え、各運転モードに応じて風向調整板の動作または移動範囲が異なるようにしたことで常に最適な状態で風の向きを自動で調整するようにしたため操作が容易にできるようになった。
【０００６】
つぎに、各運転モード時は、予め複数設定された風向調整板停止位置を設定時間毎に切替運転するようにしたことで人が乾燥や暖房運転をおこなうたびに風向を調整する作業を行わなくても自動的に風向が切り替わるために均一に浴室内を暖めたり、衣類に均等に風を当てることが可能となるために乾燥むらをなくすことができるようになり、使い勝手も大幅に向上させることできるようになった。
【０００７】
また、各運転モード時に、予め複数設定された風向調整板の停止位置を同じ比率で操作手段により変更できるようにしたことで、停止位置毎に調整する必要性も無く１回の操作で停止位置を全体的に変更することができるために変更操作が簡単にできるようになった。
【０００８】
さらには、各運転モード時に、予め複数設定された風向調整板の停止位置の中で洗い場側の位置だけを調整できるようにしたことで、変更操作が簡単にできるとともに浴槽側に風がいかなくなる等の風向調整ミスを防ぐことが可能となった。
【０００９】
また、風向調整板の停止位置を浴室内に備えたリモコンまたは給湯機のリモコンにより変更できるようにしたことで、従来浴室外である洗面所等に設置されていたリモコンでしか風向を変更することができなかったために使用者が入浴中に風の向きを変更するにしても浴室の扉を開けて変更しないといけないため、特に冬場の暖房運転時等は寒い思いをしながら変更しないといけなく使い勝手も悪かったが浴室内で変更操作できるようになったことで風向調整板の向きを確認しながら操作出来るとともに浴室外に出て操作しなくてもよいため使い勝手が非常に改善された。
【００１０】
次に、乾燥運転モード時に風向調整板の移動範囲の中央設定位置から風向の位置を可変することで、衣類をかけるパイプ２本に衣類をかけた場合に衣類と衣類が重なる部分が乾きにくくなるためその箇所に風があたる時間を長くするとともに衣類の温度を早く上昇させ湿気が蒸発しやすくし、乾燥時間を短縮できる効果がある。
【００１１】
次に、乾燥運転モードの運転開始初期時、予め複数設定された停止位置の開始位置と終点位置との２点間をある決まった速度で一定時間風向調整板を往復動作させることにより、パイプにかけた衣類を乾燥初期段階で全体に風をあてることができ衣類の温度も全体的に乾燥初期段階で上昇させ、湿気が蒸発しやすい状態にすることで乾燥ムラをおさえることができるとともに、乾燥時間を短縮させることができるものである。
【００１２】
さらに、浴室暖房乾燥機に浴室内の温度を検出するための室温センサもしくは浴室内の湿気を検出するための湿度センサを備えることで、乾燥運転初期時の室内温度の違いや乾燥する衣類の量や違いにより、一定時間の動作では衣類の温度が上昇しきれず、乾燥ムラが多少残るといった問題もなくなるものである。
【００１３】
また、暖房運転モードで事前に浴室を暖める場合の運転の際は、洗い場側に風があたる範囲で予め設定された風向調整板停止位置を設定時間毎に切り替えることで、浴室全体の温度を上げるより洗い場雰囲気および床付近の温度を早く上昇させることができ、洗面所から浴室に入ったときの冷風感がなくヒートショックを軽減することができる。
【００１４】
つぎに、暖房運転モードで入浴中に浴室内を暖房する場合は、風向調整板を浴槽側に移動させることで、洗い場で使用者が体を洗う際に風があたるのを防止することができ、冷風感を和らげることができる。
【００１５】
また、暖房運転モードで入浴中に浴室内を暖房する場合、洗い場側の温度低下や風向調整板を常時可変させて動作させる運転モード時には、風向調整板が洗い場方向に移動している間は、循環風量を低下させて使用者に風があたるのを防止し、冷風感を和らげるとともに洗い場側の温度低下を防ぐ効果がある。
【００１６】
つぎに、暖房運転モードで温度検知手段により検出された浴室内の温度が設定値以上になったときに風向調整板の位置をかえるようにしたことでとくに入浴する前に浴室を高風量ですばやく事前に暖めて、浴室に入って入浴する際に肌寒さを感じない程度の風量に落とす切替制御を自動で行う場合に、時間で切り替えると外気温等の条件によっては、浴室が十分暖まっていないことがあったが温度の条件で切り替えることで確実に行えるようになった。
【００１７】
また、暖房運転モードで人体検出手段により人が洗い場側にいるのを検知したら風向調整板を浴槽側へ移動するようにしたことで、自動的に風が人にあたらない方向に変わるため冷風感を感じることもなくさらには、使用者が操作手段により変更するわずらわしさもなく使い勝手が向上するものである。
【００１８】
つぎに、暖房運転モードで加熱手段の温度が設定値以上になるまで浴槽側に風があたる位置に風向調整板を移動することで、暖房運転開始後すぐに浴室内に入っても冷たい風が体にあたることを防止できる。
【００１９】
また、涼風運転モードは、夏場の暑いときに風を体にあてることで涼風感をえるものであるため、人がいる方向へ風がくるのが一番よい状態である。しかし、その都度、操作手段により風向調整板の位置を変更するのは使い勝手が悪い、よって、人体検出手段により、人がいる方向に常に風が吹くように風向調整板の位置を自動的に行うことで使い勝手が向上するものである。
【００２０】
つぎに、風向調整板を規定移動範囲内で繰り返し動作させる場合に、循環ファンを１／ｆゆらぎで制御するようにしたことで自然風と同じ様な風が体にあたるため、屋外で入浴しているような効果が得られリラックスした気分になる効果が得られる。
【００２１】
また、人体検出手段として赤外線センサを使用することで安価なシステムで人の有無を判別することが可能となる。
さらには、人体検出手段として赤外線センサ以外例えば、超音波センサ、マイクロ波センサ、ＣＣＤカメラ等の別のセンサで構成してもよいものである。
【００２２】
つぎに、風向調整板は、従来温風が吹き出す方向は固定であるか可変できるものであっても１軸方向（浴室の洗い場側と浴槽側間の方向を調整できるもの）であった。しかし、各モードにおいて最適な風の向きがあったが従来の構成では風の向き（温風が吹き出す吹出口の長手方向の吹き出し範囲）が固定であった。そこで、電動駆動手段を用いて２軸の方向（浴室の洗い場側と浴槽側間の方向と温風が吹き出す吹出口の長手方向の吹き出し範囲）を可変できる機構を備えることにより人の操作を煩わせることなく、各運転モードで最適な風向位置に制御することが可能となり、操作性および暖房、乾燥性能の向上を図ったものである。
【００２３】
つぎに、風向調整板の移動範囲は、乾燥運転の場合は、衣類が広い範囲でランドリーパイプにかけられており効率よく乾燥させるためには衣類に風を十分あてることが理想的である。よって、風向調整板は広い範囲で風があたるような調整ができる方が望ましい。しかし、暖房運転の場合は、冬場の寒い時期に浴室に入った際に寒いと感じるのは床面に足をつけたときである。すなわち、温風が洗い場の床面に十分あたることが必要である。よって、乾燥運転のように広い範囲にあてるのではなく洗い場の床面に集中させるような温風の吹き出しが理想的である。そこで、本発明は、使用者が風向調整板の設定を誤って設定しても性能が低下することなく常に快適に使用できるように乾燥運転モードに対して暖房運転モードの風向調整板の移動範囲を小さくすることで解決するものである。
【発明の実施の形態】
以下に、本発明の実施の形態を添付図面に基づいて説明する。
【００２４】
図１は、本発明に係わる浴室暖房乾燥機を浴室の天井に設置した例を示す
ものであり、加熱手段として温水を利用した温水式の浴室暖房乾燥機をもとに説明をおこなうものである。ここで示す構成図は、浴室暖房乾燥機の一実施例として、浴室空間１４の天井に浴室暖房装置１０を取り付けたシステム構成を示すものである。また、ここでいう浴室暖房装置１０とは、浴室の暖房を行うために必要な熱交換器１１、循環ファン１２，図示はしていないが制御ユニット、温度センサ、温水の開閉弁などを備えたものである。本システムは、熱源機１と浴室暖房装置１０間を循環させるために必要な温水配管（往き配管５と戻り配管６）で接続されている。さらには、制御を行うために必要な制御信号線７とで接続された構成となっているものである。また、ここでは図示はしていないが熱源機１の操作部Ａ２と浴室暖房装置１０の操作部Ｂ８間で制御信号のやりとりを行ってもよいものである。ここであらためて言うまでもないが説明の中では有線式であるが当然無線式、例えば電波方式、赤外線方式、超音波方式などで制御信号のやりとりを行ってもよいものである。
【００２５】
次に、本システムの動作について簡単に説明をおこなう。
浴室暖房装置１０の操作部Ｂ８に備えられている（図示はしていない）暖房スイッチを操作すると浴室暖房装置１０内に備えられた温水の開閉弁（図示はしていない）が開き、熱源機１に対して制御信号線７を介して熱源機動作開始信号が送信され、熱源機１は、その信号を受け付けると循環ポンプ３が回り始めるのと同時に燃焼動作が始まり、温水が往き配管５を経由して熱交換器１１に供給し、循環ファン１２により浴室空間１４から導入した空気と前記温水の間で熱交換して前記空気を暖めて、浴室空間１４に温風を吹きだすようにし、空気を循環させることで浴室空間を昇温する構成となっているものである。
また、熱源機１の操作部Ａ２からの操作でも同様の動作を行えるものである。
更に、本実施例では、暖房に関する構成しか述べていないが換気機能を装置内部に組み込むか、別体で備えることで暖房機能だけでなく換気、乾燥、涼風機能を備えた構成にしてももちろんよいものである。
【００２６】
次に、図２について説明を行う。
本実施例は、加熱手段として温水を使用した浴室暖房乾燥機であり、断面図を示すものである。図１でも同様の説明を行っているので詳細は説明しないが温水により熱交換され昇温した空気は、吹出口１３より吹き出され、風向調整板１６が電動モーター（図示はしていない）により移動し、空気の吹出し方向が変わるように構成されたものである。
【００２７】
次に、図３について説明を行う。
本実施例は、風向調整板１６の停止位置が予め設定Ａ，Ｂ，Ｃされた停止位置に移動することを説明するための図であり、例えば乾燥運転モードでは、停止位置Ａ，Ｂ，Ｃをそれぞれ設定時間毎、例えば５分とすると、Ａの位置で５分間乾燥運転を行うと次にＢの位置へ移動し、その位置で５分間乾燥運転を行いさらにＣの位置へ移動してその位置で５分間乾燥運転を行うようにしたもので停止位置を一定時間毎にＡ，Ｂ，Ｃ，Ｂ，Ａ…というような順番で切り替わるような動作をするものである。
ここでは、風向調整板１６の停止位置を３箇所（Ａ，Ｂ，Ｃ）で説明しているが複数停止位置を備えておいても当然よいものである。
さらには、風向調整板１６の停止位置は、浴室暖房装置１０の操作を浴室内で操作できるワイヤレス式の操作部（図示していない）または図１にしめす熱源機１の操作部Ａ２より変更することが可能なものである。
【００２８】
次に、図４について説明を行う。
本実施例は、風向調整板１６の停止位置を同じ比率で変更できる内容について説明する図であり、図１に示す浴室暖房装置１０を操作する操作部Ｂ８または熱源機１を操作する操作部Ａ２により風向調整板１６の停止位置変更操作を行い停止位置を変更するものである。ここでは、風向調整板１６が閉じた状態を０°として、設定変更前の状態をＡ＝１２０°、Ｂ＝９０°、Ｃ＝６０°とし、操作部により−１０°の変更設定を行うと、変更後の設定値は、ＡがＡ１＝１１０°、ＢがＢ１＝８０°、ＣがＣ１＝５０°となり同じ比率で変更することを示すものである。
【００２９】
次に、図５に示す図面について説明を行う。
本実施例は、風向調整板１６の停止位置が３箇所（Ａ，Ｂ，Ｃ）の場合について説明を行うが洗い場１７側に設定されている停止位置Ｃのみを浴室暖房装置の操作部Ｂ８または熱源機１の操作部Ａ２において停止位置をＣ１やＣ２に変更できるようにしたものである。よって、停止位置Ａ，Ｂについては変更できないものである。
【００３０】
次に、図６に示す図面について説明する。
本実施例は、洗濯された衣類を乾燥するために２本のランドリーパイプ２１に衣類Ａ１９、衣類Ｂ２０を複数枚かけた状態で、衣類Ａ１９に風を当てるには風向調整板１６を停止位置Ａに移動し、衣類Ｂ２０に風を当てるには風向調整板１６を停止位置Ｃに移動し、衣類Ａ１９と衣類Ｂ２０が重なっている部分に風をあてるには風向調整板１６を停止位置Ｂに移動するようにしたものであり、乾燥運転開始時には、風向調整板１６を停止位置Ｂの位置から始め、停止位置をＢ→Ａ→Ｂ→Ｃ→Ｂ…にしめすような順番で繰り返し移動させるようにしていているものである。いうまでもないが移動する順番はこの限りではないものである。
【００３１】
次に、図７に示す図面について説明する。
本実施例は、暖房運転モードで事前に浴室を暖める場合は、洗い場側に風があたる範囲停止位置ＢからＣの間を予め設定された停止位置Ｃ１，Ｃ２，Ｃ３に設定時間毎に切り替えるようにして洗い場雰囲気を均一に暖めるようにしたものである。例えば、Ｃ１の位置で５分間暖房運転し、次にＣ２位置で５分間暖房運転し、次にＣ３の位置で５分間暖房運転し、Ｃ１→Ｃ２→Ｃ３→Ｃ２…というような繰り返し動作を行うものである。
また、浴室に人が入り暖房する場合は、洗い場側で人に風があたると肌寒く感じるため風向調整板１６の停止位置を浴槽側である停止位置ＡからＢの範囲で停止するようにしているものである。
さらには、浴室内の温度低下を防止するために風向調整板１６を停止位置ＡからＣの範囲で人が浴室内にいても動作させる場合には、風向調整板１６がＢからＣの範囲を移動する場合は、循環ファン１２の風量を低下させるようにし、人にあたらないようにしたものである。
【００３２】
次に、図７をもちいて説明を続けるが浴室暖房装置１０内に設けられた温度検知手段（図示していない）により浴室内の温度を検出して、事前に浴室を暖める場合は、風向調整板１６の停止位置をＢからＣの範囲で移動しながら暖め、浴室内の温度が設定値以上になると自動的に風向調整板１６の停止位置をＡからＢの範囲で移動するように切替浴槽側を暖めるようにしたものである。
【００３３】
さらに、図７を用いて説明を行うが浴室暖房装置１０内に設けられた人体検出手段（図示していない）により、洗い場１７に人がいることを検出したら人に風があたらないようにするために風向調整板１６を停止位置ＡからＢの位置に移動するようにしたものである。また、洗い場１７に人がいなくなったら風向調整板１６をＢからＣの位置に移動するようにしてもよいものである。
【００３４】
次に、図７を用いて別の実施例を説明するが加熱手段である熱交換器１１の温度が設定値以上に昇温するまでは、冷たい風が洗い場１７側にいき人に風があたったとき肌寒く感じないようにするために風向調整板１６を浴槽１８側である停止位置ＡからＢの範囲に移動するようにしたものである。
【００３５】
さらに、図７を用いて別の実施例を説明するが涼風運転モードでは、浴室暖房装置１０内に設けられた人体検出手段（図示していない）により、洗い場１７に人がいることを検出したら洗い場１７方向に風向調整板１６を停止位置ＢからＣの範囲で移動し、浴槽１８側に人がいるのを検出したら浴槽１８方向に風向調整板１６を停止位置ＢからＣの範囲で移動するようにし、人に風があたるようにし冷風感を得られるようにしたものである。
【００３６】
つぎに、図７を用いて別の実施例を説明するが風向調整板１６を規定範囲ＡからＣの範囲内で繰り返し動作させ、風を浴室内全体にあてるようにする場合、循環ファン１２より送風される風を一定の風量ではなく、風量を増やしたり減らしたりする動作を１／ｆ（周波数）で行うようにしてより自然風に近づけることで屋外で入浴した感じが得られ、リラックス効果を向上させるものである。
【００３７】
さらに、図８を用いて別の実施例を説明するが風向調整板１６に人体検出手段２２としてコスト的に安価である赤外線センサを取り付けた状態を示しているがこのようにとりつければ風向調整板１６を移動範囲であるＡからＣの範囲のどこに人がいるかを検出するようにしたものである。また、人体検出手段２２の取付位置は必ずしも風向調整板１６の位置でなくてもよく化粧カバー２３上に取り付けるような構造でもよいものである。さらには、人体検出手段２２として超音波センサやマイクロ波センサのようなものであっても当然よいものである。
【００３８】
次に、図９に示す図面について説明する。
本実施例は、洗濯された衣類を乾燥するために２本のランドリーパイプ２１に衣類Ａ１９、衣類Ｂ２０を複数枚かけた状態で、衣類Ａ１９に風を当てるには風向調整板１６を停止位置Ａに移動し、衣類Ｂ２０に風を当てるには風向調整板１６を停止位置Ｃに移動し、衣類Ａ１９と衣類Ｂ２０が重なっている部分に風をあてるには風向調整板１６を停止位置Ｂに移動するようにしたものであり、乾燥運転開始時には、衣類の温度を上昇させ湿気が蒸発しやすいようにするために、ある決まった時間衣類全体に風をあてるため風向調整板１６を停止位置Ａと停止位置Ｃの間を一定の速度で往復動作させ、一定時間経過すると予めきまった乾燥運転の動作パターンに従い、停止位置をＢ→Ａ→Ｂ→Ｃ→Ｂ…にしめすような順番で繰り返し移動させるようにしているものである。いうまでもないが移動する順番はこの限りではないものである。
【００３９】
さらに、図９には吸込口９の近傍に室温センサ２４および湿度センサ２５を備えており、循環ファン１２を動作させることにより室内空気が吸込口９より取り込まれ、室温センサ２４により室温を検出および湿度センサ２５により湿度を検出することができるようにしたもので、室内の初期温度や衣類量の違いによる乾燥初期時の衣類の温度上昇のバラツキを軽減させるために浴室内の温度もしくは湿度からの信号があらかじめ設定された数値になるまで風向調整板１６を停止位置Ａと停止位置Ｃの間を一定の速度で往復動作させ、設定された数値を超えた時点で風向調整板１６の動作を予めきまった乾燥運転の動作パターンで動作させるようにしたものである。ここでは、室温センサ２４と湿度センサ２５両方を備えた実施例で説明しているがいづれか１つのセンサで実現してもよいものである。
【００４０】
つぎに、図１０に示す図について説明する。
本実施例は、図２の風向調整板１６の詳細構成を示す一実施例であり、上段に示す図は温風が吹き出す方向から見た図であり、下段の図は、Ｘ軸３０方向の断面を示す略図である。風向調整板１６は、モータＡ２６によりＸ軸３０方向に回転する機構と風向調整板１６内に取り付けられた可動可能な羽根Ａ２７、羽根Ｃ２９と固定の羽根Ｂ２８を備えており、可動可能な羽根Ａ２７と羽根Ｃ２９は、ギヤユニット（内部詳細は略）３２により羽根の角度を可変できるようにしたものである。ここでは、羽根Ａ２７と羽根Ｃ２９は同じ方向に移動する図となっているが別々の方向や角度であってもよいし、羽根の枚数もこれに限定するものではない。
【００４１】
つぎに、図１１に示す図について説明する。
本実施例は、浴室暖房装置１０を浴室天井に取付、ランドリーパイプ２１に衣類１９を浴槽１８の長手方向と並行にかけ乾燥している状態を浴室洗い場方向から見たときの状態を示す図である。風向調整板１６内の羽根Ａ２７と羽根Ｃ２９により可動させたときの温風の吹き出す範囲を示すもので、乾燥運転時には衣類全体に風があたるようにした方が乾きやすいので広く風があたるようにするため乾燥時風向範囲３３のように羽根Ａ２７と羽根Ｃ２９を調節する。また、暖房運転時は、浴室の床面まで十分温風があたるようにしたほうが床面の温度もあがり冬場浴室に入った際のヒートショックもなく快適な入浴ができるため、洗い場１７の床面まで温風が十分届くようにするために温風の吹き出す範囲を乾燥運転時よりも範囲を小さくし、暖房時風向範囲３４のように羽根Ａ２７と羽根Ｃ２９を調整するようにしたものである。
【図面の簡単な説明】
【図１】本発明に係わる浴室暖房乾燥機を浴室の天井に設置した例を示す構成図である。
【図２】浴室暖房乾燥機の断面図を示す図である。
【図３】風向調整板が移動する範囲を示す一実施例である。
【図４】風向調整板が設定変更された場合の移動する範囲を示す一実施例である。
【図５】風向調整板の設定変更可能な範囲を示す一実施例である。
【図６】衣類乾燥運転中に風向調整板が移動する範囲を示す一実施例である。
【図７】風向調整板が洗い場方向の範囲で調整できる示す図である。
【図８】風向調整板に人体検出手段（赤外線センサ）を取り付けた状態を示す図である。
【図９】暖房乾燥装置に室温センサと湿度センサを備えた構成を示す一実施例を示す図である。
【図１０】風向調整板の可動構成を示す一実施例を示す図である。
【図１１】乾燥運転時と暖房運転時の風の吹き出す範囲を示す一実施例を示す図である。
【符号の説明】
１…熱源機
２…操作部Ａ
３…循環ポンプ
４…熱交換機
５…往き配管
６…戻り配管
７…制御信号線
８…操作部Ｂ
９…吸込口
１０…浴室暖房装置
１０ａ…室内暖房装置幅方向
１０ｂ…室内暖房装置奥行き方向
１０ｃ…室内暖房装置高さ方向
１１…熱交換機
１２…循環ファン
１３…吹出口
１４…浴室空間
１５…洗面所空間
１６…風向調整板
１７…洗い場
１８…浴槽
１９…衣類Ａ
２０…衣類Ｂ
２１…ランドリーパイプ
２２…人体検知手段
２３…化粧カバー
２４…室温センサ
２５…湿度センサ
２６…モータＡ
２７…羽根Ａ
２８…羽根Ｂ
２９…羽根Ｃ
３０…Ｘ軸
３１…Ｙ軸
３２…ギヤユニット
３３…乾燥時風向範囲
３４…暖房時風向範囲
【図１】
0003806927.tif 000002
【図２】
0003806927.tif 000003
【図３】
0003806927.tif 000004
【図４】
0003806927.tif 000005
【図５】
0003806927.tif 000006
【図６】
0003806927.tif 000007
【図７】
0003806927.tif 000008
【図８】
0003806927.tif 000009
【図９】
0003806927.tif 000010
【図１０】
0003806927.tif 000011
【図１１】
0003806927.tif 000012